(57)【要約】【課題】  使い勝手の向上を図る。【解決手段】  把手５の被写体側の端部における一方の側面にマイクロフォン１０１に接続されたコネクター１０１ｃが接続される音声入力端子９９、９９を設け、把手の被写体側の端部における上記一方の側面と反対側の側面に音声入力端子を介して入力される音声信号に対する調節用の回転ダイヤル１０７、１０７を設けた。【選択図】  図４６
2008022273.tif 000002
【特許請求の範囲】
【請求項１】
装置本体の上方に設けられ被写体と使用者を結ぶ方向へ延びる把手を備えた撮像装置であって、
把手の被写体側の端部における一方の側面にマイクロフォンに接続されたコネクターが接続される音声入力端子を設け、
把手の被写体側の端部における上記一方の側面と反対側の側面に音声入力端子を介して入力される音声信号に対する調節用の回転ダイヤルを設けた
ことを特徴とする撮像装置。
【請求項２】
チャンネルが異なる複数の上記音声入力端子を被写体と使用者を結ぶ方向に離隔して設け、
各音声入力端子を介して入力される各音声信号に対して各別に調節を行う音声入力端子と同数の回転ダイヤルを被写体と使用者を結ぶ方向に離隔して設け、
各音声入力端子に対応する各回転ダイヤルを音声入力端子が並ぶ順番と同じ順番で並べて配置した
ことを特徴とする請求項１に記載の撮像装置。
【請求項３】
回転ダイヤルを把手の下端部に設け、
把手の下縁に操作用切欠を形成し、
回転ダイヤルの下端部を操作用切欠に対応して位置させるようにした
ことを特徴とする請求項１に記載の撮像装置。
【請求項４】
装置本体における回転ダイヤルの下方にズーミング用又はフォーカシング用の回転操作リングを設け、
回転ダイヤルと回転操作リングの回転方向を直交する方向とした
ことを特徴とする請求項１に記載の撮像装置。
【請求項５】
把手の使用者側の端部に使用者が被写体を捉えるためのファインダーを設けた
ことを特徴とする請求項１に記載の撮像装置。
【発明の詳細な説明】
【技術分野】
【０００１】
本発明は撮像装置についての技術分野に関する。詳しくは、音声入力端子と音声信号の調節用の回転ダイヤルを把手の互いに反対側の面に設けて使い勝手の向上を図る技術分野に関する。
【背景技術】
【０００２】
ビデオカメラ等の各種の撮像装置には、撮影時等に撮影者（使用者）が把持するための把手が装置本体の上方に設けられているものがある（例えば、特許文献１参照）。
【０００３】
このような把手を有するビデオカメラ等の撮像装置には、把手の被写体側における端部に音声入力端子が設けられているものがあり、例えば、音声入力端子にはマイクロフォンに接続されたコードの先端部に設けられた音声入力用のコネクターが接続される。従って、マイクロフォンに入力された音声は、音声入力端子を介して音声信号として入力される。
【０００４】
音声入力端子を有する撮像装置にあっては、音声入力端子を介して入力される音声信号に対する調節用、例えば、音量調節用の回転ダイヤルが設けられており、回転ダイヤルを必要な方向へ回転操作することにより、入力される音声の音量を調節することが可能となる。
【０００５】
従来の撮像装置にあっては、使用者に近い位置での操作を可能とするために、回転ダイヤルが装置本体における使用者側の端部に設けられているものがある。
【０００６】
【特許文献１】特開２００６−７４６９５号公報
【発明の開示】
【発明が解決しようとする課題】
【０００７】
ところが、従来の撮像装置にあっては、回転ダイヤルが装置本体における使用者側の端部に設けられているため、ファインダーを用いて撮影を行う場合には、回転ダイヤルが視認し難い位置に存在することになり、回転ダイヤルを手探りで操作しなければならず操作性が悪いと言う問題がある。
【０００８】
また、回転ダイヤルが装置本体における使用者側の端部に設けられているため、撮影時に回転ダイヤルが使用者に意図せず接触して回転し誤操作を生じるおそれもあった。このような不具合を防止するためには、例えば、回転ダイヤルをカバーによって閉塞可能とした撮像装置もあるが、カバーを設ける分、部品点数が多くなったり、使用時の都度カバーを開放しなければならないとともに不使用時の都度カバーを閉塞しなければならないと言う不都合が生じている。
【０００９】
そこで、本発明撮像装置は、上記した問題点を克服し、使い勝手の向上を図ることを課題とする。
【課題を解決するための手段】
【００１０】
本発明撮像装置は、上記した課題を解決するために、把手の被写体側の端部における一方の側面にマイクロフォンに接続されたコネクターが接続される音声入力端子を設け、把手の被写体側の端部における上記一方の側面と反対側の側面に音声入力端子を介して入力される音声信号に対する調節用の回転ダイヤルを設けたものである。
【００１１】
従って、本発明撮像装置にあっては、撮影時に、常に、回転ダイヤルが視認可能な位置に存在する。
【発明の効果】
【００１２】
本発明撮像装置は、装置本体の上方に設けられ被写体と使用者を結ぶ方向へ延びる把手を備えた撮像装置であって、把手の被写体側の端部における一方の側面にマイクロフォンに接続されたコネクターが接続される音声入力端子を設け、把手の被写体側の端部における上記一方の側面と反対側の側面に音声入力端子を介して入力される音声信号に対する調節用の回転ダイヤルを設けたことを特徴とする。
【００１３】
従って、撮影状態において使用者から視認し易い被写体側に回転ダイヤルが位置され、操作性の向上を図ることができる。
【００１４】
請求項２に記載した発明にあっては、チャンネルが異なる複数の上記音声入力端子を被写体と使用者を結ぶ方向に離隔して設け、各音声入力端子を介して入力される各音声信号に対して各別に調節を行う音声入力端子と同数の回転ダイヤルを被写体と使用者を結ぶ方向に離隔して設け、各音声入力端子に対応する各回転ダイヤルを音声入力端子が並ぶ順番と同じ順番で並べて配置したので、操作すべき回転ダイヤルを容易に把握することができ、誤操作の防止による使い勝手の向上を図ることができる。
【００１５】
請求項３に記載した発明にあっては、回転ダイヤルを把手の下端部に設け、把手の下縁に操作用切欠を形成し、回転ダイヤルの下端部を操作用切欠に対応して位置させるようにしたので、操作用切欠に指を挿入して回転ダイヤルに宛うことにより、該回転ダイヤルを容易に操作することができる。
【００１６】
請求項４に記載した発明にあっては、装置本体における回転ダイヤルの下方にズーミング用又はフォーカシング用の回転操作リングを設け、回転ダイヤルと回転操作リングの回転方向を直交する方向としたので、回転ダイヤルの操作時に誤って回転操作リングを回転させてしまうことがないと共に回転操作リングの操作時に誤って回転ダイヤルを回転させてしまうことがなく、誤操作の防止を図ることができる。
【００１７】
請求項５に記載した発明にあっては、把手の使用者側の端部に使用者が被写体を捉えるためのファインダーを設けたので、使用者がファインダーを覗き込んで使用した状態で回転ダイヤルを視認しながら操作することが可能となり、操作性の向上を図ることができる。
【発明を実施するための最良の形態】
【００１８】
以下に、本発明を実施するための最良の形態を添付図面に従って説明する。
【００１９】
以下に示した最良の形態は、本発明をビデオカメラに適用したものである。尚、本発明の適用範囲はビデオカメラに限られることはなく、例えば、ビデオカメラや画像を撮影する他の撮像装置に広く適用することができる。
【００２０】
以下の説明にあっては、ビデオカメラの撮影時において撮影者（使用者）から見た方向で前後上下左右の方向を示すものとする。従って、被写体側を前方とし、撮影者側を後方とする。尚、以下に示す前後上下左右の方向は説明の便宜上のものであり、本発明の実施に関しては、これらの方向に限定されることはない。
【００２１】
撮像装置（電子機器であるビデオカメラ）１は筐体２の内外に所要の各部が配置されて成る（図１乃至図４参照）。
【００２２】
撮像装置１は、図１、図２及び図５に示すように、装置本体３と該装置本体３に開閉自在かつ回動自在に連結された表示部４と装置本体３の上方に設けられた把手５とを有している。
【００２３】
装置本体３の前端部には撮影用窓枠６が取り付けられ、該撮影用窓枠６の内側には装置本体３の前端部に取り付けられた図示しない撮像レンズが配置されている。
【００２４】
装置本体３には撮影用窓枠６の直ぐ後側の位置に回転操作リング７、８が前後に離隔して回転自在に支持されている。回転操作リング７、８は、それぞれ前後方向に延びる軸を中心として回転操作され、それぞれ回転操作されることによりズーム機能又はフォーカス機能が実行される。
【００２５】
装置本体３の左側面３ａには、その前端寄りの位置及び下端部に複数の操作釦９、９、・・・が配置されている（図２参照）。操作釦９、９、・・・として、例えば、輝度調整釦、フォーカスモード切替釦等が設けられている。
【００２６】
装置本体３の左側面３ａには表示部４が連結されている（図５参照）。表示部４は扁平な略矩形状に形成され、一方の面に表示画面４ａを有している。表示部４は、その一端部が装置本体３に開閉自在かつ回動自在に連結されている。
【００２７】
装置本体３の左側面３ａには表示部４を収納する収納凹部１０が形成されている。装置本体３には、収納凹部１０に複数の釦１１、１１、・・・が配置されている。釦１１、１１、・・・は、主として撮影された画像の再生に関する釦であり、釦１１、１１、・・・として、例えば、再生釦、再生停止釦、早送り釦、早戻し釦、スロー再生釦等が設けられている。
【００２８】
装置本体３の右側面３ｂには右方へ突出されたグリップ部１２が設けられている（図１参照）。グリップ部１２は筐体２の一部と該筐体２の下端部を覆うカバー１３とによって構成されている（図６及び図７参照）。グリップ部１２は右側面１２ａの略中央部が最も右方に位置するように膨出した形状に形成され、右側面１２ａは掌に対応した緩やかな曲面に形成されている。
【００２９】
グリップ部１２の上面１２ｂには前後に離隔してズーミングを行うためのズームキー１４と、例えば、静止画撮影を行うための撮影キー１５が配置されている。ズームキー１４は前後両端部がそれぞれ第１の被操作部１４ａ、第２の被操作部１４ｂとして設けられ、第１の被操作部１４ａ又は第２の被操作部１４ｂを選択的に下方へ押圧操作することにより画角が変更される。
【００３０】
グリップ部１２の上面１２ｂにはズームキー１４の前側にオープン摘子１６が配置されている。オープン摘子１６がスライド操作されると、図８に示すように、グリップ部１２が、例えば、下端部を支点として回動され、内部に配置されたメカデッキ１８（図９参照）にテープカセット１０００を装着することが可能となる。
【００３１】
グリップ部１２の内部にはカセットホルダー１７が配置されている（図８参照）。テープカセット１０００はカセットホルダー１７に挿入されて保持された状態でメカデッキ１８に装着される。
【００３２】
メカデッキ１８は、図９に示すように、各部が取り付けられるベース板となる基台１８ａ、ヘッドドラム１８ｂ、傾斜ガイド１８ｃ、１８ｃ、テープガイド１８ｄ、１８ｄ等を有しており、該テープガイド１８ｄ、１８ｄの先端部にそれぞれ調整用ネジ１９、１９が取り付けられている。
【００３３】
オープン摘子１６を操作してグリップ部１２を開放し、メカデッキ１８にテープカセット１０００を装着してグリップ部１２を閉じると、図示しないローディングモーターの駆動力により動作されるローディング機構によってテープカセット１０００からテープ状記録媒体１００１が引き出されてヘッドドラム１８ｂ、傾斜ガイド１８ｃ、１８ｃ、テープガイド１８ｄ、１８ｄ等に巻回され、所定のテープパスが形成される。
【００３４】
グリップ部１２として設けられた筐体２の下端部にはカバー１３によって開閉される凹部２０が形成されている（図１０参照）。筐体２における凹部２０を形成する部分には、テープガイド１８ｄ、１８ｄに対応する位置にそれぞれ調整孔２０ａ、２０ａが形成されている。また、筐体２における凹部２０を形成する部分には、ローディングモーターに対応する位置に調整孔２０ｂが形成されている。
【００３５】
従って、図９に示すように、カバー１３を筐体２から取り外して調整孔２０ａ、２０ａにドライバー等の治具１５００を挿入して調整用ネジ２０ａ、２０ａを回してテープ状記録媒体１００１のヘッドドラム１８ｂに対する位置調整を行うことができる。
【００３６】
また、調整孔２０ｂに治具を挿入してローディングモーターを強制的に動作させることも可能である。
【００３７】
一般に、テープ状記録媒体の調整は、調整用のテープカセットをメカデッキ１８に装着し、テープ状記録媒体を走行させた状態で治具１５００を用いて行う。
【００３８】
上記したように、撮像装置１にあっては、カバー１３を筐体２から取り外すことによりテープ状記録媒体１００１のヘッドドラム１８ｂに対する位置調整を行うことができるため、筐体２を分解して調整を行う必要がなく、調整を容易に行うことができメンテナンス性の向上を図ることができる。
【００３９】
また、筐体２を分解してメカデッキ１８を露出させて調整を行う必要がないため、メカデッキ１８やテープ状記録媒体１００１への塵埃等の付着を低減することができる。
【００４０】
尚、筐体２における凹部２０を形成する部分にテープ状記録媒体１００１の位置調整方法やローディングモーターの強制的動作方法等に関しての説明書きを表示してもよい。このような表示があれば、テープ状記録媒体１００１の位置調整やローディングモーターの強制的動作を容易に行うことができる。
【００４１】
カバー１３は形状の相違により複数の種類が付替カバーとして用意されており、図１１に示すように、所望のカバー１３Ａ、１３Ｂ、１３Ｃ、・・・を筐体２に取り付けて使用することが可能とされている。カバー１３Ａ、１３Ｂ、１３Ｃ、・・・は、掌の形状の個人差に対応して、例えば、曲面（外面）の膨らみ方や形状が異なるように形成されており、使用者が自分の掌に合致した形状のカバー１３Ａ、１３Ｂ、１３Ｃ、・・・を筐体２に取り付けて使用することにより、良好な把持性を確保することができる。
【００４２】
カバー１３は、図１２に示すように、内面側に位置する被取付部１３ａと外面側に位置する被押し当て部１３ｂとが積層されて形成されている。被取付部１３ａは筐体２に取り付けられる部分であり、被押し当て部１３ｂは使用者が把持したときに掌が押し当てられる部分である。
【００４３】
被取付部１３ａは、樹脂材料、例えば、ＡＢＳ（アクリロニトリル−ブタジエン−スチレン共重合樹脂）によって形成され、被押し当て部１３ｂは、例えば、熱可塑性のエラストマーによって形成されている。
【００４４】
このようにカバー１３を樹脂材料から成る被取付部１３ａとエラストマーから成る被押し当て部１３ｂとを積層して形成することにより、樹脂材料の高い硬度による良好な取付性を確保することができると共にエラストマーの柔軟性による良好な把持性を確保することができる。
【００４５】
尚、上記には、被取付部１３ａが樹脂材料によって形成され、被押し当て部１３ｂがエラストマーによって形成された例を示したが、良好な取付性及び把持性を確保することができれば被取付部１３ａと被押し当て部１３ｂを他の材料によって形成してもよく、例えば、被取付部１３ａを金属やセラミックによって形成し、被押し当て部１３ｂをシリコンゴム等によって形成することも可能である。
【００４６】
グリップ部１２の上面１２ｂには、図６及び図１０に示すように、ズームキー１４とオープン摘子１６の間の位置に、上方へ突出された指掛用突起２１が筐体２に一体に設けられている。
【００４７】
グリップ部１２の前面１２ｃには指宛用凹部２２が形成されている（図６参照）。指宛用凹部２２は縦長の浅い緩やかな曲面状に形成されている。グリップ部１２の前面１２ｃの下端部にはベルト通し金具２３が取り付けられている。
【００４８】
グリップ部１２の後面１２ｄには撮影用釦２４が設けられている（図７参照）。後面１２ｄは、後述するように、親指が宛われる指宛面として形成されている。撮影用釦２４は回転操作することにより電源の投入及びその解除を行う釦であり、回転方向に応じて電源の投入と同時にカメラモード（撮影モード）とビデオモード（再生モード）の切替を行うことができる。また、撮影用釦２４を押圧操作することにより、撮影の開始及びその停止を行うことができる。
【００４９】
グリップ部１２の右側面１２ａの後端部には右方へ突出された握り突部２５が設けられている（図６及び図７参照）。握り突部２５にはベルト通し金具２６が取り付けられている。
【００５０】
グリップ部１２の前面１２ｃに取り付けられたベルト通し金具２３と右側面１２ａに取り付けられたベルト通し金具２６との間にはグリップベルト２５００が取り付けられる（図１参照）。
【００５１】
使用者は、図１３に示すように、グリップベルト２５００の内側に手を下側から通し、掌２０００をグリップ部１２の外面に押し宛てて把持する。このとき、例えば、親指２００１と人差し指２００２の付け根部分で握り突部２５を握るようにし、拇指球を握り突部２５の下側の部分に押し当て、親指２００１を後面１２ｄに宛い、人差し指２００２、中指２００３及び薬指２００４を上面１２ｂに宛い、小指２００５を前面１２ｃの指宛用凹部２２に宛う。このとき上面１２ｂに宛った薬指２００４を指掛用突起２１に前方から宛う。
【００５２】
上記したように、撮像装置１には指掛用突起２１が設けられており、該指掛用突起２１に宛った薬指２００４と後面１２ｄに宛った親指２００１とで前後から挟むようにして撮像装置１を保持することができ、手振れを生じ難い状態で人差し指２００２又は中指２００３によってズームキー１４及び撮影キー１５を操作することができる。
【００５３】
また、撮像装置１にあっては、撮影キー１５とズームキー１４が前後に離隔して配置されているため、例えば、中指２００３で撮影キー１５を操作し人差し指２００２でズームキー１４を操作することが可能となり、操作性の向上を図ることができる。
【００５４】
このとき使用者は、拇指球をグリップ部１２に押し当て、薬指２００４を指掛用突起２１に宛うことにより、拇指球と薬指２００４によって撮像装置１を安定した状態で保持することができ、親指２００１、人差し指２００２及び中指２００３を自由に動かすことが可能となる。従って、親指２００１によって撮影用釦２４を自由に操作することができ、人差し指２００２及び中指２００３によってズームキー１４及び撮影キー１５を自由に操作することができるため、撮像装置１の安定した保持状態を確保した上で撮影用釦２４、ズームキー１４及び撮影キー１５に対する操作性の向上を図ることができる。
【００５５】
尚、このとき上記したように、指宛用凹部２２に小指２００５を宛うことにより、一層安定した保持状態を確保することができる。
【００５６】
さらに、ズームキー１４は下方へ押圧されて選択的に操作される第１の被操作部１４ａと第２の被操作部１４ｂが前後に離隔して設けられているため、後面１２ｄに宛った親指２００１と指掛用突起２１に宛った薬指２００４で前後から挟むようにして撮像装置１を確実に保持した状態において、ズームキー１４を人差し指２００２及び中指２００３によって容易に操作することができる。
【００５７】
さらにまた、撮像装置１にあっては、グリップ部１２の前面１２ｃに指宛用凹部２２が形成されているため、親指２００１及び薬指２００４以外にも小指２００５を用いて撮像装置１を確実に保持することができる。
【００５８】
尚、グリップ部１２を親指２００１、薬指２００４及び小指２００５を用いて撮像装置１を把持した場合には、各指の間隔が自然に広がることとなり、ズームキー１４及び撮影キー１５に対する良好な操作性を確保することができると共に味状態の安定化を図ることができる。
【００５９】
また、グリップ部１２の後面１２ｄに撮影用釦２４を配置しているため、撮像装置１を確実に保持した状態において、撮影用釦２４を親指２００１によって容易に操作することができる。
【００６０】
加えて、撮像装置１にあっては、上記したように、グリップ部１２は右側面１２ａの略中央部が最も右方に位置するように膨出した形状に形成されているため、掌２０００をグリップ部１２に押し宛てた状態において掌２０００がグリップ部１２に自然な形で密着され、良好な把持性を確保することができる。
【００６１】
尚、上記には、指掛用突起２１を筐体２に一体に設けた例を示したが、指掛用突起２１を筐体２とは別の材料で別体で設けるようにしてもよい。指掛用突起２１を筐体２とは別体で設けた場合には、例えば、熱可塑性エラストマー等の柔軟性の高い材料で指掛用突起２１を形成して、薬指２００４との良好な接触性を確保することが可能となる。
【００６２】
上記には、小指２００５をグリップ部１２の前面１２ｃの指宛用凹部２２に宛って撮像装置１を保持する例（図１３参照）を示したが、手の大きさは使用者によって個人差があるため、手の大きさが小さい使用者は、小指を前面１２ｃに宛うことができない場合がある。従って、この場合には、図１４に示すように、グリップベルト２５００の内側に手を下側から通し、掌２０００Ａをグリップ部１２の外面に押し宛てて把持したときに、例えば、親指２００１Ａと人差し指２００２Ａの付け根部分で握り突部２５を握るようにし、親指２００１Ａを後面１２ｄに宛い、人差し指２００２Ａ、中指２００３Ａ、薬指２００４Ａ及び小指２００５Ａを上面１２ｂに宛う。このとき上面１２ｂに宛った薬指２００４Ａを指掛用突起２１に前方から宛い、小指２００５Ａは薬指２００４Ａに沿うようにして上面１２ｄに宛う。
【００６３】
このようにグリップ部１２に指掛用突起２１を設けることにより、手の大きさに拘わらず撮像装置１を親指２００１Ａと薬指２００４Ａによって手振れの生じ難い状態で確実に保持しながら、人差し指２００２Ａ及び中指２００３Ａでズームキー１４を操作することができる。撮像装置１においては、撮影時の手振れの発生が問題となるため、指掛用突起２１を設けて保持状態の安定化を図ることは特に有効である。また、指掛用突起２１は、手の小さい使用者が撮影する場合においても保持状態の安定化を図る役割を果たすものであり、グリップ部１２に指掛用突起２１を設けることは、手の大きさに拘わらず手振れの発生の防止を図り、揺れの少ない安定した画像を撮影する観点においても特に有効である。
【００６４】
装置本体３の後面３ｃにはバッテリー３０００が取り付けられる（図２参照）。
【００６５】
装置本体３の前端部は略筒状の鏡筒部２７として設けられ、該鏡筒部２７の外面に上記回転操作リング７、８が回転自在に支持されている（図１５参照）。鏡筒部２７の後面には光学ブロック２８が取り付けられ、該光学ブロック２８は樹脂材料によって形成された外側フレーム２８ａと該外側フレーム２８ａの内部に配置されたズームレンズ等の可動レンズやアイリス機構等の所要の各部とを有している。
【００６６】
筐体２は複数の部品が結合されることによって構成され、図３及び図４に示すように、装置本体３の大部分を構成する第１のメインボデイ２９及び第２のメインボデイ３０と、第１のメインボデイ２９の右側面に結合されグリップ部１２を構成する第１の側面ボデイ３１及び第２の側面ボデイ３２と、第２のメインボデイ３０の左側面及び下面に結合される側面フレーム３３と、第１のメインボデイ２９及び第２のメインボデイ３０の後面に結合されバッテリー３０００が取り付けられる後面ブロック３４と、第１のメインボデイ２９及び第２のメインボデイ３０の上面に結合される上側キャビネット３５と、把手５の一部を構成し上側キャビネット３５に結合される上面パネル３６及び下面パネル３７と、把手５の前端部の一部を構成する前側フレーム３８とを有している。
【００６７】
第２の側面ボデイ３２は第１の側面ボデイ３１に図示しない支持機構によって開閉自在に支持され、第２の側面ボデイ３２が第１の側面ボデイ３１に対して開放されることにより、グリップ部１２の内部にテープカセット１０００を挿入することが可能となる。
【００６８】
第２のメインボデイ３０は放熱性の高い金属材料、例えば、マグネシウムダイカストによって形成され、図１６乃至図１８に示すように、略半円筒状に形成された筒部３９と該筒部３９の後端に連続され装置本体３の内部に位置される内側フレーム部４０とが一体に形成されて成る。
【００６９】
筒部３９の内側には外側フレーム２８ａが樹脂材料によって形成された光学ブロック部２８が取り付けられて配置される。
【００７０】
内側フレーム部４０の前端部には収納部４１が設けられている。収納部４１は上壁面部４１ａ、下壁面部４１ｂ、左側壁面部４１ｃ及び後壁面部４１ｄによって前方及び右方に開口された箱状に形成されている。
【００７１】
収納部４１には撮像部４２が収納される（図１９参照）。撮像部４２は、図２０及び図２１に示すように、プリズムホルダー４３と該プリズムホルダー４３に取り付けられた色分解用のプリズム４４と該プリズム４４によって分解された光がそれぞれ入射される撮像素子４５、４５、４５と該撮像素子４５、４５、４５の駆動用の撮像素子基板４６、４６、４６とを有している。
【００７２】
プリズムホルダー４３は前後方向を向く板状に形成され、光学ブロック部２８を介して取り込まれた光が透過される図示しない透過孔を有している。プリズムホルダー４３は光学ブロック部２８の後面に取り付けられ、プリズムホルダー４３の後面にプリズム４４が取り付けられている。
【００７３】
撮像素子４５、４５、４５はそれぞれプリズム４４の上方、後方及び下方に配置され、撮像素子４５、４５、４５のプリズム４４の反対側の面にはそれぞれ第１の放熱板４７、４７、４７を挟んで撮像素子基板４６、４６、４６が取り付けられている。
【００７４】
第１の放熱板４７、４７、４７は、撮像素子４５、４５、４５と第１の放熱板４７、４７、４７とによって挟まれた図示しない吸熱部と該吸熱部に対して９０°折り曲げられて設けられた放熱部４７ａ、４７ａ、４７ａとから成る。放熱部４７ａ、４７ａ、４７ａは撮像素子４５、４５、４５の左方において左右方向を向く状態で位置され、放熱部４７ａ、４７ａ、４７ａは第２の放熱板４８に取り付けられている。
【００７５】
第２の放熱板４８は左右方向を向き、内面に金属材料から成る取付板４９が取り付けられている。第２の放熱板４８は取付板４９とともに収納部４１の左側壁面部４１ｃの内面に、例えば、ネジ止めにより固定される。
【００７６】
上記のようにして撮像部４２が収納部４１に収納された状態において、鏡筒部２７の内部に配置された撮像レンズ及び光学ブロック部２８等を介して取り込まれた光はプリズムホルダー４３に形成された透過孔からプリズム４４に入射される。プリズム４４に入射された光は色分解されてそれぞれ撮像素子４５、４５、４５に入射され、該撮像素子４５、４５、４５によって入射された光に基づく画像信号が生成される。
【００７７】
収納部４１の右側の開口４１ｅは内側フレーム部４０に取り付けられる遮光部材５０によって閉塞される（図１６、図１７及び図２２参照）。遮光部材５０は、例えば、熱可塑性の黒色の樹脂材料によって形成されている。従って、遮光部材５０によって閉塞された収納部４１にはは、プリズムホルダー４３に形成された透過孔からプリズム４４に入射される撮影に関与する光以外の光は入射されない。
【００７８】
このように撮像装置１にあっては、遮光部材５０によってプリズム４４への撮影に関与する光以外の光の入射を遮断するため、該プリズム４４の表面に黒色の塗装を施す必要がなく、塗装工程を省略できると共に塗料の費用も発生しなくなり、撮像装置１の製造コストの低減を図ることができる。
【００７９】
内側フレーム部４０の右側面には金属材料から成る基板取付板５１が取り付けられる（図１６及び図１７参照）。基板取付板５１は遮光部材５０の直ぐ右側に配置され、基板取付板５１の右側面には制御回路基板５２が取り付けられている。制御回路基板５２には撮像装置１の全体の制御を司る制御回路が形成されている。
【００８０】
撮影時においては、上記したように、撮像素子基板４６、４６、４６によって撮像素子４５、４５、４５の駆動が行われ、このとき撮像素子基板４６、４６、４６に搭載された電子部品が発熱する。発生した熱は撮像素子基板４６、４６、４６から、順に、第１の放熱板４７、４７、４７、第２の放熱板４８、内側フレーム部４０を経て筒部３９に伝達されて該筒部３９から外部へ放出される。
【００８１】
一方、このとき制御回路基板５２においても発熱が生じるが、この熱は基板取付板５１を介して内側フレーム部４０に伝達されて筒部３９から放出される。
【００８２】
上記したように、撮像装置１にあっては、撮像部４２と制御回路基板５２との間に樹脂材料によって形成された遮光部材５０が配置されているため、該遮光部材５０が撮像部４２の周囲において発生した熱の放射を遮断する仕切として機能し、撮像部４２を効率的に冷却することができる。
【００８３】
また、撮像装置１にあっては、遮光部材５０によって制御回路基板５２に発生した熱の放射による伝達が遮断され、制御回路基板５２を撮像部４２に近い位置に配置することができ、設計の自由度の向上を図ることができる。
【００８４】
さらに、第２のメインボデイ３０をダイカストによって形成しているため、高い剛性と高い放熱性をともに確保することができる。
【００８５】
尚、上記には、第２のメインボデイ３０をダイカストによって形成し、遮光部材５０を樹脂材料によって形成した例を示したが、第２のメインボデイ３０を放熱性の高い他の材料によって形成してもよく、遮光部材５０を遮光性を確保することができる熱伝導率の低い他の材料によって形成してもよい。
【００８６】
また、上記には、制御回路基板５２に発生した熱を基板取付板５１を介して第２のメインボデイ３０から放出する例を示したが、例えば、第１のメインボデイ２９を放熱性の高い材料によって形成し、制御回路基板５２に発生した熱を基板取付板５１を介して第１のメインボデイ２９から放出させるようにすることも可能である。
【００８７】
撮像装置１にあっては、上記したように、撮像素子基板４６、４６、４６に搭載された電子部品に発生した熱を、第１の放熱板４７、４７、４７が取り付けられた一つの第２の放熱板４８を介して放出しているため、部品点数の削減を図った上で放熱効率の向上を図ることができる。
【００８８】
第１のメインボデイ２９及び第２のメインボデイ３０の上面に結合される上側キャビネット３５は、図２３に示すように、前後に離隔して設けられた突部３５ａ、３５ａと該突部３５ａ、３５ａの上端間に位置する前後に長い延設部３５ｂとを有している。延設部３５ｂは上方に開口された浅い凹状に形成されている。
【００８９】
上側キャビネット３５の延設部３５ｂには、図４に示すように、上方から上面パネル３６が取り付けられ、下方から下面パネル３７が取り付けられる。
【００９０】
下面パネル３７は、例えば、シリコンゴム等の柔軟な材料によって形成されている。従って、使用者が把手５を把持したときに滑り難く、良好な把持性を確保することができる。
【００９１】
上面パネル３６の前端部には、図２３に示すように、それぞれ上方に開口された第１の釦配置凹部５３と第２の釦配置凹部５４が前後に離隔して形成されている。
【００９２】
第１の釦配置凹部５３は、例えば、平面で見て円形状に形成され、図２５及び図２６に示すように、底壁部５５と該底壁部５５の外周部に設けられた円筒状の周壁部５６とによって形成されている。底壁部５５は周壁部５６の上下方向における略中央部に設けられ、底壁部５５には外周部を除く部分に上下に貫通された挿通孔５５ａが形成されている。
【００９３】
第１の釦配置凹部５３には撮影釦５７が配置される（図２３及び図２４参照）。撮影釦５７には連結部材５８が連結され、両者によって釦ユニット５９が構成される。連結部材５８は上下方向を向く円板状に形成された押圧板部５８ａと該押圧板部５８ａの中央部から上方へ突出された連結突部５８ｂとから成る。連結部材５８は連結突部５８ｂの上端部が撮影釦５７の下面の中央部に連結される。
【００９４】
釦ユニット５９は、図２７に示すように、連結突部５８ｂが挿通孔５５ａに下側から挿通され、上面パネル３６に上下方向へ移動自在に支持される。
【００９５】
第２の釦配置凹部５４は、例えば、平面で見て前後に長い略矩形状に形成され、図２５及び図２６に示すように、底壁部６０と該底壁部６０の外周部から上方へ突出された周壁部６１とによって形成されている。
【００９６】
底壁部６０の前後両端部にはそれぞれ上下に貫通された釦挿通孔６０ａ、６０ａが形成されている。底壁部６０の中央部には上方へ突出された支持突片６２が設けられ、該支持突片６２の前後方向における中央部に支持凹溝６２ａが形成されている。周壁部６１の前後方向における中央部には、それぞれ左右に突出された支持ピン６１ａ、６１ａが設けられている。
【００９７】
第２の釦配置凹部５４にはズームキー６３が配置される（図２３及び図２４参照）。ズームキー６３は前後に長く形成され、前後両端部がそれぞれ押圧操作部６３ａ、６３ａとされ、左右両側面の前後方向における中央部の下端部にそれぞれ左右に貫通された被支持孔６３ｂ、６３ｂが形成されている。ズームキー６３の下面には、前後方向における中央部に左右に延びる被支持軸６３ｃが設けられ、前後両端部に下方へ突出された押圧突部６３ｄ、６３ｄが設けられている。
【００９８】
ズームキー６３は被支持軸６３ｃが支持突片６２の支持凹溝６２ａに支持され、被支持孔６３ｂ、６３ｂに支持ピン６１ａ、６１ａが挿入されて、該支持ピン６１ａ、６１ａを支点として上面パネル３６に回動自在に支持される。
【００９９】
第１の釦配置凹部５３を形成する周壁部５６及び第２の釦配置凹部５４を形成する底壁部６０には、下面側から受け部材６４が取り付けられる（図２７参照）。
【０１００】
受け部材６４は、ゴム材料によって前後に長く上下方向を向く略板状に形成されている（図２９及び図３０参照）。受け部材６４は円板部６５と該円板部６５の後方に連続する矩形板部６６とが一体に形成されて成る。
【０１０１】
円板部６５は、ベース面部６７と該ベース面部６７の外周部から上方へ突出して設けられた押さえリブ部６８とベース面部６７の中央部から上方へ突出して設けられたスイッチング突部６９とから成る。
【０１０２】
押さえリブ部６８の内径は第１の釦配置凹部５３を形成する周壁部５６の外径と同じにされている。
【０１０３】
スイッチング突部６９はベース面部６７に連続する薄肉ヒンジ部６９ａと該薄肉ヒンジ部６９ａの上端に連続する被押圧部６９ｂと該被押圧部６９ｂの下面から下方へ突出された接点操作部６９ｃとから成る。薄肉ヒンジ部６９ａは筒状に形成され上方へ行くに従って径が小さくなるようにされている。
【０１０４】
矩形状部６６は前後に長く形成され、ベース面部７０と該ベース面部７０の外周部から上方へ突出して設けられた押さえリブ部７１とベース面部７０から上方へ突出して設けられたスイッチング突部７２、７２とから成る。押さえリブ部７１の一部は円板部６５の押さえリブ部６８の一部と共通化されている。
【０１０５】
押さえリブ部７１の内法は第２の釦配置凹部５４を形成する底壁部６０の外法と同じにされている。
【０１０６】
スイッチング突部７２、７２は前後に離隔して設けられ、円板部６５のスイッチング突部６９と同じ形状に形成され、それぞれ薄肉ヒンジ部７２ａ、７２ａと被押圧部７２ｂ、７２ｂと接点操作部７２ｃ、７２ｃとから成る。
【０１０７】
受け部材６４は、図２７、図３０及び図３１に示すように、スイッチング突部６９が周壁部５６の内部に位置され、スイッチング突部７２、７２がそれぞれ挿通孔５５ａ、５５ａを下方から挿通され第２の釦配置凹部５４の内部に位置され、押さえリブ部６８が周壁部５６の下端部に外方から面接触され、押さえリブ部７１が底壁部６０の外周面に外方から面接触された状態で上側キャビネット３５に下側から取り付けられる。このときベース面部６７、７０は周壁部５６の下面及び底壁部６０の下面に押し付けられる。
【０１０８】
ベース面部６７、７０の周壁部５６及び底壁部６０への押付は、受け部材６４が周壁部５６及び底壁部６０と上側キャビネット３５上に配置されたスイッチ用回路基板７３とによって挟持されることにより行われる。
【０１０９】
上記のように受け部材６４が上側キャビネット３５に取り付けられた状態において、釦ユニット５９は連結部材５８の押圧板部５８ａの中央部がスイッチング突部６９の被押圧部６９ｂに上方から接触して位置され、ズームキー６３は押圧突部６３ｄ、６３ｄがそれぞれスイッチング突部７２、７２の被押圧部７２ｂ、７２ｂに上方から接触して位置される。
【０１１０】
上側キャビネット３５の延設部３５ｂの上面にはスイッチ用回路基板７３が配置される。従って、スイッチ用回路基板７３は受け部材６４と上側キャビネット３５の延設部３５ｂとによって上下から挟持される。スイッチ用回路基板７３には前後に離隔して接点７３ａ、７３ｂ、７３ｂが形成されている。スイッチ用回路基板７３は延設部３５ｂの上面に配置された制御基板７４に接続されている（図２３及び図２４参照）。
【０１１１】
撮影釦５７が押圧操作されると、図３２に示すように、一体となって連結部材５８が下方へ移動されて被押圧部６９ｂが押圧されスイッチング突部６９の薄肉ヒンジ部６９ａが弾性変形されて被押圧部６９ｂが下方へ移動される。被押圧部６９ｂが下方へ移動されると、接点操作部６９ｃがスイッチ用回路基板７３の接点７３ａに当接する。この接点操作部６９ｃが接点７３ａに当接した状態においては、撮影釦５７の下端面は底壁部５５の上面に接触されていない（図３２参照）。
【０１１２】
撮影釦５７が引き続き下方へ移動されると、図３３に示すように、被押圧部６９ｂが弾性変形されて接点操作部６９ｃが接点７３ａを下方へ押圧し、撮影動作の開始又はその停止が行われる。撮影釦５７の下方への移動は、該撮影釦５７の下端面が底壁部５５の上面に接するまで可能とされる。従って、底壁部５５は撮影釦５７の下方への移動を規制するストッパーとして機能する。
【０１１３】
ズームキー６３の一方の押圧操作部６３ａが押圧操作されると、図３２に示すように、押圧突部６３ｄが下方へ移動されてスイッチング突部７２の薄肉ヒンジ部７２ａが弾性変形されて被押圧部７２ｂが下方へ移動される。被押圧部７２ｂが下方へ移動されると、接点操作部７２ｃがスイッチ用回路基板７３の接点７３ｂに当接する。この接点操作部７２ｃが接点７３ｂに当接した状態においては、ズームキー６３の下面は底壁部６０の上面に接触されていない（図３２参照）。
【０１１４】
ズームキー６３が引き続き下方へ移動されると、図３３に示すように、被押圧部７２ｂが弾性変形されて接点操作部７２ｃが接点７３ｂを下方へ押圧し、ズーム機能が実行される。ズームキー６３の下方への移動は、該ズームキー６３の下面が底壁部６０の上面に接するまで可能とされる。従って、底壁部６０はズームキー６３の下方への移動を規制するストッパーとして機能する。
【０１１５】
上記したように、撮像装置１にあっては、ゴム材料によって形成された受け部材６４の押さえリブ部６８、７１における内周面がそれぞれ周壁部５６の外周面と底壁部６０の外周面に面接触され、ベース面部６７、７０がそれぞれ周壁部５６の下面と底壁部６０の下面に押し付けられる。
【０１１６】
従って、第１の釦配置凹部５３及び第２の釦配置凹部５４と上側キャビネット３５の内部とが連通されることがなく、該上側キャビネット３５の内部への水分や塵埃の侵入が防止され、スイッチ用回路基板７３及び制御基板７４に水分や塵埃が付着することがなく、動作の信頼性の向上を図ることができる。
【０１１７】
尚、第１の釦配置凹部５３又は第２の釦配置凹部５４に水分や塵埃が侵入した場合には、侵入した水分や塵埃は第１の釦配置凹部５３又は第２の釦配置凹部５４に貯留される。
【０１１８】
また、撮像装置１にあっては、撮影釦５７又はズームキー６３が操作されたときに、スイッチ用回路基板７３の接点７３ａ、７３ｂ、７３ｂに接点操作部６９ｃ、７２ｃ、７２ｃが接した後に撮影釦５７又はズームキー６３の下面がストッパーとして機能する底壁部５５、６０の上面に接触される。
【０１１９】
従って、撮影釦５７又はズームキー６３の下面が底壁部５５、６０の上面に接触されるときには、スイッチング突部６９、７２の弾性変形によって撮影釦５７及びズームキー６３の下方への移動速度が低下されており、撮影釦５７又はズームキー６３の底壁部５５、６０への接触時に両者の接触音を低減することができる。
【０１２０】
特に、撮影釦５７又はズームキー６３の近傍にマイクロフォン等の音声入力手段が設けられている場合には、上記のような接触音の低減により音声入力手段への異音の入力を防止することができる。
【０１２１】
また、撮像装置１にあっては、筐体２の一部である底壁部５５、６０をそれぞれ撮影釦５７とズームキー６３の下方への移動を規制するストッパーとして設けているため、別に専用のストッパーを設ける必要がなく、部品点数の削減を図ることができる。
【０１２２】
尚、上記した水分や埃の侵入を防止すると共に異音の発生を防止する構造は、撮影釦５７及びズームキー６３以外の各種の操作手段にも適用することが可能である。また、この構造の適用はスライド操作される操作手段にも適用することが可能である。
【０１２３】
把手５の後端部にはファインダー７５が回動自在に支持されている（図１及び図２参照）。ファインダー７５は前端部を支点として後端部が略上下へ移動する方向へ回動可能とされる。ファインダー７５は、図３４に示すように、本体部７６と該本体部７６に装着される装着部７７とから成る。
【０１２４】
本体部７６は、図３５乃至図３７に示すように、前方側から順に、外筐ホルダー７８、画像出力部７９、支持ホルダー８０、回転リング８１及び結合部材８２を有している。
【０１２５】
外筐ホルダー７８は前方に開口された底の深い椀状に形成され、前端部が被支持部７８ａとして設けられている。外筐ホルダー７８は被支持部７８ａが把手５の後端部に回動自在に支持されている。
【０１２６】
外筐ホルダー７８は後半部を除き横断面形状が横長の楕円形状に形成されている。外筐ホルダー７８の後端部における下端部には上下に貫通された支持孔７８ｂが形成されている（図３６参照）。
【０１２７】
外筐ホルダー７８の支持孔７８ｂにはロック解除摘子８３が左右方向へ移動自在に支持されている。ロック解除摘子８３には上方に突出され外筐ホルダー７８の内部に位置された連結部８３ａが設けられている（図３５参照）。
【０１２８】
外筐ホルダー７８の内部には、左右両端部にそれぞれネジ止め螺孔を有するネジ止め部７８ｃ、７８ｃが設けられている。
【０１２９】
画像出力部７９は支持ホルダー８０の後面に取り付けられている（図３５及び図３６参照）。画像出力部７９は保持フレーム７９ａと該保持フレーム７９ａの内部に保持された表示パネル７９ｂと保持パネル７９ａの後端部に取り付けられ表示パネル７９ｂへの画像の出力等を行うパネル用基板７９ｃとを有している。
【０１３０】
支持ホルダー８０は、図３５及び図３７に示すように、横長の略楕円形状に形成された基面部８０ａと該基面部８０ａから前方へ突出された支持リング部８０ｂと基面部８０ａから後方へ突出された取付部８０ｃとから成る。支持リング部８０ｂは円形状に形成されている。取付部８０ｃには画像出力部７９が取り付けられる。基面部８０ａの左右両端寄りの位置には、それぞれネジ用挿通孔８０ｅ、８０ｅが形成されている。
【０１３１】
支持ホルダー８０には基面部８０ａの左右両端部にそれぞれ側方に開口された逃げ用切欠８０ｄ、８０ｄが形成されている。
【０１３２】
回転リング８１は、円環状に形成されたリング部８４と、該リング部８４から前方へ突出されたロック用突部８５、８５、・・・とから成る。
【０１３３】
リング部８４の外周面にはバネ掛け突部８４ａが設けられている。
【０１３４】
ロック用突部８５、８５、・・・はリング部８４の周方向に等間隔に離隔して設けられ、先端部がそれぞれロック爪８６、８６、・・・として設けられている。ロック爪８６、８６、・・・はロック用突部８５、８５、・・・の他の部分よりも内側方向へ突出されている。ロック用突部８５、８５、・・・のうち、下方に位置するロック用突部８５にはロック爪８６より右方へ突出された連結片８５ａが設けられている。
【０１３５】
ロック爪８６、８６、・・・の後面（先端面）はそれぞれ摺動傾斜面８６ａ、８６ａ、・・・として形成され、周方向、例えば、後方から見て反時計回り方向へ行くに従って前方へ変位するように傾斜されている。
【０１３６】
回転リング８１は支持ホルダー８０の支持リング部８０ｂに外嵌状に支持され、該支持リング部８０ｂに対して周方向へ回転可能とされる。
【０１３７】
結合部材８２は外形が横長の楕円形状に形成された板状のベース部８７と該ベース部８７の外周部から後方へ突出された周面部８８とから成る。
【０１３８】
ベース部８７の中央部には透過孔８７ａが形成されている。ベース部８７には透過孔８７ａの周囲の位置に、それぞれ略円弧状に形成された突部挿通孔８７ｂ、８７ｂ、・・・が形成されている。ベース部８７の外周部には後方へ突出されたバネ掛け軸８７ｃが設けられている。ベース部８７の下端部には後方へ突出された回転規制突部８７ｄが設けられている。ベース部８７の左右両端寄りの位置には、それぞれネジ挿通孔８７ｅ、８７ｅが形成されている。ベース部８７の左右両端寄りの位置には、それぞれ後方へ突出されたネジ止めボス８７ｆ、８７ｆが設けられている。
【０１３９】
周面部８８の左右両端部には、その内面に前後に延びる案内部８８ａ、８８ａがそれぞれ設けられている。
【０１４０】
回転リング８１が支持された支持ホルダー８０は、ネジ用挿通孔８０ｅ、８０ｅをそれぞれ挿通されたネジ部材８９、８９がネジ止めボス８７ｆ、８７ｆに螺合されることにより結合部材８２に固定され、回転リング８１のロック用突部８５、８５、・・・が結合部材８２の突部挿通孔８７ｂ、８７ｂ、・・・にそれぞれ前方から挿通される。従って、回転リング８１は支持ホルダー８０の基面部８０ａと結合部材８２のベース部８７とによって前後から挟まれた状態で支持ホルダー８０及び結合部材８２に対して回転可能とされる。
【０１４１】
支持ホルダー８０が結合部材８２に固定された状態において、回転リング８１のバネ掛け突部８４ａと結合部材８２のバネ掛け軸８７ｃとの間に、例えば、引張コイルバネである付勢バネ９０が支持される。従って、回転リング８１は後方から見て反時計回り方向へ付勢され、反時計回り方向への回転はリング部８４の一部が結合部材８２の回転規制突部８７ｄに接することにより規制される。
【０１４２】
回転リング８１において、反時計回り方向への移動端がロック位置とされ、時計回り方向への移動端がロック解除位置とされる。
【０１４３】
支持ホルダー８０が固定された結合部材８２は、ネジ挿通孔８７ｅ、８７ｅにそれぞれ挿通された取付ネジ９１、９１が支持ホルダー８０の逃げ用切欠８０ｄ、８０ｄを通りネジ止め部７８ｃ、７８ｃに螺合されることにより外筐ホルダー７８に固定される。結合部材８２が外筐ホルダー７８に固定されることにより、図３６に示すように、画像出力部７９、支持ホルダー８０、回転リング８１及び結合部材８２が外筐ホルダー７８の内部に配置される。
【０１４４】
結合部材８２が外筐ホルダー７８に固定されたときには、ロック解除摘子８３の連結部８３ａが回転リング８１の連結片８５ａに右方から係合されて連結される。従って、付勢バネ９０の付勢力が回転リング８１を介してロック解除摘子８３に付与され、該ロック解除摘子８３は右側の移動端に位置される。従って、ロック解除摘子８３は、回転リング８１がロック位置にあるときに右側の移動端である第１の操作位置に位置される。
【０１４５】
ファインダー７５の装着部７７には、後端部に結合用突部９２が設けられている（図３５及び図３７参照）。結合用突部９２は横長の楕円形状に形成された嵌合突部９３と該嵌合突部９３の後面から後方へ突出された装着用突部９４とから成る。
【０１４６】
嵌合突部９３の左右両端部にはそれぞれ側方及び前方に開口された被案内部９３ａ、９３ａが設けられている。
【０１４７】
装着用突部９４は外形が略円形状に形成され、周方向に等間隔に離隔して被ロック部９５、９５、・・・が設けられている。被ロック部９５、９５、・・・は装着用突部９４の前端部に設けられ、外方へ突出されている。被ロック部９５、９５、・・・の前面は摺動面９５ａ、９５ａ、・・・として形成され、前方から見て反時計回り方向へ行くに従って後方へ変位するように傾斜されている。
【０１４８】
装着部７７の内部にはレンズ９６、９６、９７が配置されている。レンズ９６、９６は固定レンズであり、レンズ９７は可動レンズでありレンズ９６、９６の後方において移動可能とされている。
【０１４９】
以下に、ファインダー７５における本体部７６と装着部７７の結合時及び結合の解除時における動作について説明する（図３９乃至図４４参照）。
【０１５０】
装着部７７の装着用突部９４を本体部７６の結合部材８２に後方から挿入していく。装着用突部９４を結合部材８２に挿入していくと、結合部材８２の案内部８８ａ、８８ａに装着部７７の被案内部９３ａ、９３ａが案内され、回転リング８１のロック爪８６、８６、・・・における摺動傾斜面８６ａ、８６ａ、・・・にそれぞれ被ロック部９５、９５、・・・の摺動面９５ａ、９５ａ、・・・が接触される（図３９参照）。
【０１５１】
装着用突部９４を結合部材８２にさらに挿入していくと、摺動傾斜面８６ａ、８６ａ、・・・が摺動面９５ａ、９５ａ、・・・に押圧され、図４０に示すように、摺動傾斜面８６ａ、８６ａ、・・・が摺動面９５ａ、９５ａ、・・・上を摺動されて回転リング８１が付勢バネ９０の付勢力に抗して後方から見て時計回り方向へ回転されていく。
【０１５２】
回転リング８１が後方から見て時計回り方向へ回転され摺動傾斜面８６ａ、８６ａ、・・・の先端が摺動面９５ａ、９５ａ、・・・の先端を乗り越えると、図４１に示すように、被ロック部９５、９５、・・・がそれぞれロック爪８６、８６、・・・に対して前方へ移動されていく。
【０１５３】
ロック爪８６、８６、・・・が被ロック部９５、９５、・・・の後方に位置されると、付勢バネ９０の付勢力によって回転リング８１が後方から見て反時計回り方向へ回転され（図４２参照）、ロック爪８６、８６、・・・の前面が被ロック部９５、９５、・・・の後面に係合され装着部７７がロックされた状態で本体部７６に装着され、本体部７６と装着部７７が結合される。
【０１５４】
ロック解除摘子８３は、本体部７６と装着部７７が結合される動作中は移動されず第１の操作位置にある。
【０１５５】
装着部７７の本体部７６に対するロックの解除は、図４３に示すように、ロック解除摘子８３を操作して第２の操作位置まで移動させてロック爪８６、８６、・・・と被ロック部９５、９５、・・・の係合を解除することにより行うことができる。ロック解除摘子８３を第２の操作位置まで移動させた状態において、装着部７７を本体部７６に対して後方へ移動させることにより両者の結合が解除され、ロック解除摘子８３に対する操作を解除することにより、図４４に示すように、ロック解除摘子８３が付勢バネ９０の付勢力によって再び第１の操作位置まで移動される。
【０１５６】
上記したように、撮像装置１にあっては、本体部７６と装着部７７の結合を回転リング８１のロック爪８６、８６、・・・と装着部７７の被ロック部９５、９５、・・・との係合により行い、本体部７６と装着部７７の結合をレンズ９６、９６、９７の光軸方向において行うようにしているため、落下衝撃等によりファインダー７５に大きな外力が付与されたときに回転リング８１が回転して装着部７７が本体部７６から外れ易く、例えば、本体部と装着部の結合を光軸に直交する方向へ装着部を本体部に対してスライドすることにより行う場合のような両者の結合の解除が行われ難いという問題が少なく、ファインダー７５の破損や変形の発生率を低減することができる。
【０１５７】
また、落下衝撃時等のファインダー７５の破損や変形を防止するためにファインダー７５の本体部７６と装着部７７の結合部分を強固な材料によって形成したりファインダー７５を強固な構成にする必要がなく、その分、結合機構を簡素な機構にして小型軽量化を図ることができると共にコストの低減を図ることができる。
【０１５８】
さらに、撮像装置１にあっては、外筐ホルダー７８や装着部７７等の光軸方向から見た外形状を楕円形状に形成し、回転リング８１の外周側に案内部８８ａ、８８ａ及び被案内部９３ａ、９３ａを設けているため、ファインダー７５を必要最小限の大きさに構成しつつ装着部７７の本体部７６に対する装着を容易かつ確実に行うことができる。
【０１５９】
また、上記したように、回転リング８１の外周側の位置に結合部材８２の外筐ホルダー７８への固定用のネジ止め部分であるネジ挿通孔８７ｅ、８７ｅ及びネジ止め部７８ｃ、７８ｃと、支持ホルダー８０の結合部材８２への固定用のネジ止め部分であるネジ用挿通孔８０ｅ、８０ｅ及びネジ止めボス８７ｆ、８７ｆを形成することにより、ファインダー７５の一層の小型化を図ることができる。
【０１６０】
加えて、ロック解除摘子８３に回転リング８１を介して付勢バネ９０の付勢力が付与される構成にすることにより、ロック解除摘子８３を第１の操作位置に戻すための専用のバネを設ける必要がなく、部品点数の削減を図ることができる。
【０１６１】
把手５の前端部には右方へ突出された端子用突部９８が設けられ（図３、図４及び図４５参照）、該端子用突部９８の右側面に前後に離隔して２つの音声入力端子９９、９９が設けられている（図４６参照）。音声入力端子９９、９９は異なるチャンネルに対応した端子であり、例えば、前側の音声入力端子９９が１チャンネル用、後側の音声入力端子９９が２チャンネル用とされている。
【０１６２】
端子用突部９８の上面には着脱可能なマイクホルダー１００が取り付けられ、該マイクホルダー１００にマイクロフォン１０１が取り付けられて保持される。マイクロフォン１０１は、図３に示すように、マイク本体１０１ａと該マイク本体１０１ａの一端面から引き出されたコード１０１ｂと該コード１０１ｂに接続されたコネクター１０１ｃとによって構成されている。
【０１６３】
マイクロフォン１０１はマイク本体１０１ａの一端部がマイクホルダーに挿通されて保持され、コネクター１０１ｃが何れかの音声入力端子９９に接続される。
【０１６４】
把手５の前端部における左側面には回転ダイヤル１０２、１０２が前後に離隔して配置されている（図４及び図４５参照）。回転ダイヤル１０２、１０２はそれぞれ音声入力端子９９、９９の左方に対応して位置され、例えば、マイクロフォン１０１から音声入力端子９９、９９を介して入力される音声信号のレベル（音量）を調節するダイヤルである。回転ダイヤル１０２、１０２はチャンネル数に関して音声入力端子９９、９９が並ぶ順番と同じ順番で並べられており、例えば、前側の回転ダイヤル１０２が１チャンネル用、後側の回転ダイヤル１０２が２チャンネル用とされている。
【０１６５】
回転ダイヤル１０２、１０２は、装置本体３の前端部に配置された上記回転操作リング７、８の真上に位置されている（図２参照）。回転ダイヤル１０２、１０２は、それぞれ左右方向に延びる軸を中心として回転操作され、回転操作リング７、８の回転方向とは直交する方向とされている。
【０１６６】
このように回転ダイヤル１０２、１０２の操作方向と回転操作リング７、８の操作方向とが直交する方向とされているため、回転ダイヤル１０２、１０２の操作時に誤って回転操作リング７、８を回転させてしまうことがないと共に回転操作リング７、８の操作時に誤って回転ダイヤル１０２、１０２を回転させてしまうことがなく、誤操作の防止を図ることができる。
【０１６７】
把手５の前端部における左側面の下端部には左方及び下方に開口された操作用切欠５ａが形成されている。回転ダイヤル１０２、１０２は、その下端部が操作用切欠５ａに位置されている。従って、操作用切欠５ａに指を挿入して回転ダイヤル１０２、１０２に宛うことにより、該回転ダイヤル１０２、１０２を容易に操作することができる。
【０１６８】
上記したように、撮像装置１にあっては、把手５の前端部における一方の側面に音声入力端子９９、９９を設け、把手５の前端部における他方の側面に回転ダイヤル１０２、１０２を設けているため、撮影状態において使用者から視認し易い被写体側に回転ダイヤル１０２、１０２が位置され、操作性の向上を図ることができる。
【０１６９】
また、回転ダイヤル１０２、１０２が装置本体３における使用者側の端部に設けられていないため、撮影時に回転ダイヤル１０２、１０２が使用者に意図せず接触して回転してしまうという誤操作のおそれもなく、使い勝手の向上を図ることができる。
【０１７０】
さらに、各音声入力端子９９、９９にチャンネル数に関して対応する各回転ダイヤル１０２、１０２が音声入力端子９９、９９が並ぶ順番と同じ順番で並んで配置されているため、一方の音声入力端子９９にマイクロフォン１０１のコネクター１０１ｃが接続されている場合に、操作すべき回転ダイヤル１０２を容易に把握することができ、誤操作の防止による使い勝手の向上を図ることができる。
【０１７１】
加えて、撮像装置１にあっては、把手５の使用者側の端部にファインダー７５を設けているため、使用者がファインダー７５を覗き込んで使用した状態で回転ダイヤル１０２、１０２を視認しながら操作することが可能となり、操作性の向上を図ることができる。
【０１７２】
特に、図４８に示すように、一方の手２００６でグリップ部１２を把持し、他方の手２００７で把手５を把持してファインダー７５を使用しながら回転ダイヤル１０２、１０２を操作することが可能であり、操作性及び把持性の向上を図ることができる。
【０１７３】
尚、ファインダー７５を使用しているときに、回転ダイヤル１０２、１０２の視認性及び操作性の向上を図るために、例えば、図４９に示すように、把手５の前端部に前方へ行くに従って左方へ変位する傾斜面１０３を形成し、該傾斜面１０３に回転ダイヤル１０２、１０２を設けてもよい。
【０１７４】
また、同じく回転ダイヤル１０２、１０２の視認性及び操作性の向上を図るために、例えば、図５０に示すように、把手５の前端部に段差面１０４を形成し、該段差面１０４の前後にそれぞれ回転ダイヤル１０２、１０２を設けてもよい。
【０１７５】
さらに、同じく回転ダイヤル１０２、１０２の視認性及び操作性の向上を図るために、例えば、図５１に示すように、回転ダイヤル１０２、１０２を左右に長い円柱状に形成し外周面に表示１０２ａ、１０２ａを付するようにしてもよい。
【０１７６】
加えて、同じく回転ダイヤル１０２、１０２の視認性及び操作性を図るために、例えば、図５１に示すように、回転ダイヤル１０２、１０２を前後に離隔すると共に上下にも離隔して配置するようにしてもよい。
【０１７７】
尚、上記には、二つずつの音声入力端子９９、９９及び回転ダイヤル１０２、１０２を設けた例を示したが、音声入力端子９９及び回転ダイヤル１０２の数は２つに限られることはなく、同数であればそれぞれ三つ以上設けてもよい。
【０１７８】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１７９】
【図１】図２乃至図５１と共に本発明の最良の形態を示すものであり、本図は、撮像装置の斜視図である。
【図２】撮像装置を図１とは別の方向から見た状態で示す斜視図である。
【図３】撮像装置の分解斜視図である。
【図４】撮像装置を図３とは別の方向から見た状態で示す分解斜視図である。
【図５】表示部が開かれた状態で示す撮像装置の斜視図である。
【図６】グリップ部を示す拡大斜視図である。
【図７】グリップ部を別の角度から見た状態で示す拡大斜視図である。
【図８】グリップ部が開かれた状態をテープカセットとともに示す拡大斜視図である。
【図９】テープ状記録媒体の調整が行われる状態を示す拡大斜視図である。
【図１０】カバーが取り外された状態を示す側面図である。
【図１１】複数の種類のカバーの付替が可能であることを示す側面図である。
【図１２】カバーの拡大斜視図である。
【図１３】グリップ部が把持された状態を示す側面図である。
【図１４】グリップ部が把持された別の状態を示す側面図である。
【図１５】鏡筒部と光学ブロック部を示す斜視図である。
【図１６】撮像部とその周囲に設けられる各部とを示す斜視図である。
【図１７】撮像部とその周囲に設けられる各部とを別の角度から見た状態で示す斜視図である。
【図１８】鏡筒部に第２の側面ボデイが取り付けられた状態を示す斜視図である。
【図１９】撮像部が収納された状態を示す側面図である。
【図２０】撮像部を示す拡大斜視図である。
【図２１】撮像部を図２０とは別の角度から見た状態で示す拡大斜視図である。
【図２２】収納部に遮光部材が取り付けられた状態を示す側面図である。
【図２３】上側キャビネットとこれに配置される各部とを示す拡大分解斜視図である。
【図２４】上側キャビネットとこれに配置される各部とを図２３とは別の角度から見た状態で示す拡大分解斜視図である。
【図２５】撮影釦及びズームキーの配置構造を示す拡大分解斜視図である。
【図２６】撮影釦及びズームキーの配置構造を図２５とは別の角度から見た状態で示す拡大分解斜視図である。
【図２７】撮影釦及びズームキーの配置構造を示す拡大縦断面図である。
【図２８】受け部材の拡大斜視図である。
【図２９】受け部材の拡大断面図である。
【図３０】撮影釦の配置構造を示す拡大横断面図である。
【図３１】ズームキーの配置構造を示す拡大横断面図である。
【図３２】撮影釦及びズームキーが操作され受け部材の接点操作部が接点に接した状態を示す拡大縦断面図である。
【図３３】図３２に引き続き、撮影釦及びズームキーがストッパーに接して移動が規制された状態を示す拡大縦断面図である。
【図３４】本体部と装着部を分離した状態で示すファインダーの斜視図である。
【図３５】ファインダーの分解斜視図である。
【図３６】ファインダーの断面図である。
【図３７】ファインダーの一部を示す拡大分解斜視図である。
【図３８】ファインダーの底面図である。
【図３９】図４０乃至図４４と共に本体部と装着部の結合動作を示すものであり、本図は、装着部の被ロック部が本体部のロック部に接触した状態を示す概念図である。
【図４０】図３９に引き続き、被ロック部の摺動面がロック爪の摺動傾斜面上を摺動され、回転リングが回転されている状態を示す概念図である。
【図４１】被ロック部の摺動面の先端がロック爪の摺動傾斜面の先端を乗り越えた状態を示す概念図である。
【図４２】被ロック部にロック爪が係合されて装着部が本体部にロックされた状態を示す概念図である。
【図４３】ロック解除摘子が操作されて本体部の装着部に対するロックが解除された状態を示す概念図である。
【図４４】ロック解除摘子に対する操作が解除されて該ロック解除摘子が第１の操作位置に戻った状態を示す概念図である。
【図４５】マイクロフォンが把手に取り付けられた状態を示す拡大斜視図である。
【図４６】把手の一部とマイクロフォンを示す拡大側面図である。
【図４７】把手の一部とマイクロフォンを図４６とは反対側から見た状態で示す拡大側面図である。
【図４８】両手で把持された状態で示す撮像装置の斜視図である。
【図４９】回転ダイヤルが傾斜面に配置された状態を示す拡大斜視図である。
【図５０】回転ダイヤルが段差の前後に配置された状態を示す拡大斜視図である。
【図５１】側方へ突出された回転ダイヤルが配置された状態を示す拡大斜視図である。
【符号の説明】
【０１８０】
１…撮像装置、３…装置本体、５…把手、５ａ…操作用切欠、７…回転操作リング、８…回転操作リング、７５…ファインダー、９９…音声入力端子、１０１…マイクロフォン、１０１ｃ…コネクター、１０２…回転ダイヤル
【図１】
2008022273.tif 000003
【図２】
2008022273.tif 000004
【図３】
2008022273.tif 000005
【図４】
2008022273.tif 000006
【図５】
2008022273.tif 000007
【図６】
2008022273.tif 000008
【図７】
2008022273.tif 000009
【図８】
2008022273.tif 000010
【図９】
2008022273.tif 000011
【図１０】
2008022273.tif 000012
【図１１】
2008022273.tif 000013
【図１２】
2008022273.tif 000014
【図１３】
2008022273.tif 000015
【図１４】
2008022273.tif 000016
【図１５】
2008022273.tif 000017
【図１６】
2008022273.tif 000018
【図１７】
2008022273.tif 000019
【図１８】
2008022273.tif 000020
【図１９】
2008022273.tif 000021
【図２０】
2008022273.tif 000022
【図２１】
2008022273.tif 000023
【図２２】
2008022273.tif 000024
【図２３】
2008022273.tif 000025
【図２４】
2008022273.tif 000026
【図２５】
2008022273.tif 000027
【図２６】
2008022273.tif 000028
【図２７】
2008022273.tif 000029
【図２８】
2008022273.tif 000030
【図２９】
2008022273.tif 000031
【図３０】
2008022273.tif 000032
【図３１】
2008022273.tif 000033
【図３２】
2008022273.tif 000034
【図３３】
2008022273.tif 000035
【図３４】
2008022273.tif 000036
【図３５】
2008022273.tif 000037
【図３６】
2008022273.tif 000038
【図３７】
2008022273.tif 000039
【図３８】
2008022273.tif 000040
【図３９】
2008022273.tif 000041
【図４０】
2008022273.tif 000042
【図４１】
2008022273.tif 000043
【図４２】
2008022273.tif 000044
【図４３】
2008022273.tif 000045
【図４４】
2008022273.tif 000046
【図４５】
2008022273.tif 000047
【図４６】
2008022273.tif 000048
【図４７】
2008022273.tif 000049
【図４８】
2008022273.tif 000050
【図４９】
2008022273.tif 000051
【図５０】
2008022273.tif 000052
【図５１】
2008022273.tif 000053